(57)【要約】【課題】光が照射される部分の前面にカバーを設ける必要がなく、鏡の間の光が照射される部分の幅を広くとる必要がなく、直接照明とならないミラーキャビネットを備えた洗面化粧台を提供する。【解決手段】洗面台１の上に、前面に設けた鏡３の後方に収納部２０を有するミラーキャビネット２を備えた洗面化粧台４である。ミラーキャビネット２は、前面に複数の鏡３を並設すると共に前記鏡３の間とその後方に鏡３の前方に連通する連通空間５を形成し、連通空間５の両側の鏡３のうちの一方の鏡３ａの後方で前記連通空間５に連通する収納空間６内に照明器具７を設け、前記一方の鏡３ａの端縁の後方から他方の鏡３ｂの端縁にかけての連通空間５内に、照明器具７からの光を連通空間５を介して鏡３の前方に反射させる反射部８を設ける。【選択図】      図１
2010110570.tif 000002
【特許請求の範囲】
【請求項１】
洗面台の上に、前面に設けた鏡の後方に収納部を有するミラーキャビネットを設けた洗面化粧台であって、ミラーキャビネットは、前面に複数の鏡を並設すると共に前記鏡の間とその後方に鏡の前方に連通する連通空間を形成し、連通空間の両側の鏡のうちの一方の鏡の後方で前記連通空間に連通する収納空間内に照明器具を設け、前記一方の鏡の端縁の後方から他方の鏡の端縁にかけての連通空間内に、照明器具からの光を連通空間を介して鏡の前方に反射させる反射部を設けて成ることを特徴とする洗面化粧台。
【発明の詳細な説明】
【技術分野】
【０００１】
本発明は、洗面台の上にミラーキャビネットを設けた洗面化粧台に関するものである。
【背景技術】
【０００２】
従来より、洗面台の上にミラーキャビネットを設けた洗面化粧台が知られている（例えば特許文献１参照）。
【０００３】
特許文献１に示される洗面化粧台は、前面に複数の鏡を並設し、複数の鏡の間に照明器具を設けて、鏡の前方に光を照射するものであった。
【特許文献１】特開平６−２０９８６７号公報
【発明の開示】
【発明が解決しようとする課題】
【０００４】
上記洗面化粧台では、鏡の間に前方に開口する平面視略コ字状をした収納部材を設け、収納部材内に照明器具を収納し、収納部材の前面開口に透光部材からなるカバーを設けていた。
【０００５】
このものにあっては、前記カバーを設ける必要があり、外観のシンプルさに欠けるものであった。
【０００６】
また、収納部材内の照明器具を交換容易にするため、収納部材の幅を広くとる必要があり、その分ミラーキャビネットの収納部が狭くなるか、ミラーキャビネット全体が大きくなってしまうものであった。
【０００７】
また、カバーを介して照明器具の光が直接見える直接照明となり、眩しくなってしまうものであった。
【０００８】
本発明は上記の従来の問題点に鑑みて発明したものであって、その目的とするところは、光が照射される部分の前面にカバーを設ける必要がなく、鏡の間の光が照射される部分の幅を広くとる必要がなく、直接照明とならず眩しくないミラーキャビネットを備えた洗面化粧台を提供することを課題とするものである。
【課題を解決するための手段】
【０００９】
前記課題を解決するために本発明に係る発明は、洗面台１の上に、前面に設けた鏡３の後方に収納部２０を有するミラーキャビネット２を設けた洗面化粧台４であって、ミラーキャビネット２は、前面に複数の鏡３を並設すると共に前記鏡３の間とその後方に鏡３の前方に連通する連通空間５を形成し、連通空間５の両側の鏡３のうちの一方の鏡３ａの後方で前記連通空間５に連通する収納空間６内に照明器具７を設け、前記一方の鏡３ａの端縁の後方から他方の鏡３ｂの端縁にかけての連通空間５内に、照明器具７からの光を連通空間５を介して鏡３の前方に反射させる反射部８を設けて成ることを特徴とするものである。
【発明の効果】
【００１０】
本発明においては、反射部で反射させた光を前方に照射する間接照明としたことで、眩しくならないと共に、カバーを設ける必要がなくて外観をシンプルにすることができ、また、照明器具を交換容易にするため鏡の間の幅を広くとるといったことが不要で、ミラーキャビネットの収納部の確保やミラーキャビネットの小型化が図られる。
【発明を実施するための最良の形態】
【００１１】
以下、本発明について添付図面に示す実施形態に基いて説明する。
【００１２】
本発明の洗面化粧台４は、図２に示すように洗面台１の上にミラーキャビネット２を設けたものである。
【００１３】
洗面台１は、洗面台本体１１の上面に洗面ボウル１２を備えている。洗面台本体１１は、詳細な図示はしないが、前面及び上面が開口する箱状をしたもので、内部が収納空間や配管設置空間となり、扉１３や引出し１４により前面の開口が開閉され、上面の開口は洗面ボウル１２を備えたカウンターにより閉塞される。
【００１４】
ミラーキャビネット２は、前面が開口する箱状をしたキャビネット部２１と、キャビネット部２１の前面の開口を開閉自在に閉塞し、前面に鏡３を設けた扉２２と、で主体が構成され、キャビネット部２１と鏡３を設けた扉２２とを複数備えている。
【００１５】
キャビネット部２１は、図１及びミラーキャビネット２の扉２２を除いて示した図３に示すように、後述する連通空間５を挟んで複数並設されるもので、本実施形態では横に三個並設され、キャビネット部２１の後面は一つの板状をした背板部材２３に固定されるか、または複数のキャビネット部２１の背板２４が一つの背板部材２３で構成される。キャビネット部２１内は収納部２０となり、棚板２５が適宜設けられる。
【００１６】
背板部材２３は、図２に示すように、キャビネット部２１の収納部２０の底板２６よりも下方に突出させてバックガード２３ａとし、バックガード２３ａの下端を洗面台１のカウンターの洗面ボウル１２の後方の部分に接続し、洗面台１から上方に立設させる。また、背板部材２３をキャビネット部２１の底板２６よりも下方に突出させずに、部屋の内壁等に直接固定してもよく、この場合には洗面化粧台４としてでなく単独のミラーキャビネット２として利用することができる。
【００１７】
ミラーキャビネット２は、前面に並設した複数の鏡３の間とその後方に、鏡３の前方に連通する連通空間５を形成するもので、本実施形態では、図３に示すように、両側のキャビネット部２１の互いに対向する側板２７の間に形成される。
【００１８】
そして、連通空間５の両側の鏡３のうちの一方の鏡３ａの後方に、連通空間５に連通し照明器具７を収納する収納空間６を形成し、この収納空間６内に照明器具７を設けるものである。本実施形態では、図３に示すように、連通空間５の両側のキャビネット部２１のうち、一方のキャビネット部２１の側板２７の上下方向の中間部に、所定の上下長さ及び前後深さの開口又は切欠からなる挿通口２８を形成し、該挿通口２８と連通する、キャビネット部２１内の収納部２０の一部を収納空間６としている。本実施形態では、三個並設されるキャビネット部２１のうち、中央のキャビネット部２１の両側板２７にそれぞれ挿通口２８を形成し、両側板２７の挿通口２８の上端縁間と下端縁間とに棚板２５を架設し、更に、照明器具７を収納する収納空間６とその他の物を収納する収納部２０とを仕切る仕切り板２９を両棚板２５間に設けてある。照明器具７としては、本実施形態では蛍光灯からなる管球が用いられ、長手方向を上下に向けて収納空間６内に設置するが、特に管球に限定されず、白熱灯のような点状光源を複数設けてもよい。
【００１９】
そして、一方の鏡３ａの端縁の後方から他方の鏡３ｂの端縁にかけての連通空間５内に、照明器具７からの光を連通空間５を介して鏡３の前方に反射させる反射部８を設けるもので、本実施形態では、中央のキャビネット部２１の側板２７の照明器具７よりも後方位置から、連通空間５を介して対向するキャビネット部２１の側板２７の前端縁（鏡３の端縁）にかけて反射部８を設けてある。
【００２０】
反射部８は、前方に凹となる板状をしたもので、反射面８ａとなる前面は光を拡散（乱反射）させる。
【００２１】
上述した洗面化粧台４は、使用者が洗面化粧台４の前方に立って、照明器具７を点灯させると、照明器具７からの照射光が側板２７の挿通口２８を介して連通空間５へと進行し、反射部８の反射面８ａに反射して、鏡３の間から前方へと照射される。これにより、使用者の前面を間接照明により（すなわち反射光により）照射して、直接照明のように眩しくなってしまうことがないものである。
【００２２】
また、鏡３の間の反射部８を介した間接照明とすることで、鏡３の間に透光性のカバーを設けたりする必要がなく、外観をシンプルにすることができる。
【００２３】
また、照明器具７の交換は、鏡３を設けた扉２２を開けることで、収納空間６が前方に露出するため、収納空間６及び連通空間５からなる広い空間に手を挿し入れればよく、狭い空間に手を挿し入れることがなく作業性が良いものである。また、照明器具７を交換容易にするため鏡３の間の幅を広くとるといったことが不要で、ミラーキャビネット２の収納部２０のスペースの確保やミラーキャビネット２の小型化が図られる。
【図面の簡単な説明】
【００２４】
【図１】洗面化粧台に設けるミラーキャビネットの一実施形態を示し、（ａ）は平断面図であり、（ｂ）は正面図であり、（ｃ）は側断面図である。
【図２】洗面化粧台の全体斜視図である。
【図３】同上のミラーキャビネットの扉を除いた斜視図である。
【符号の説明】
【００２５】
１    洗面台
１１  洗面台本体
１２  洗面ボウル
１３  扉
１４  引出し
２    ミラーキャビネット
２０  収納部
２１  キャビネット部
２２  扉
２３  背板部材
２３ａ  バックガード
２４  背板
２５  棚板
２６  底板
２７  側板
２８  挿通口
２９  仕切り板
３    鏡
３ａ  一方の鏡
３ｂ  他方の鏡
４    洗面化粧台
５    連通空間
６    収納空間
７    照明器具
８    反射部
８ａ  反射面
【図１】
2010110570.tif 000003
【図２】
2010110570.tif 000004
【図３】
2010110570.tif 000005